【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
複数の端末の各端末における、データ操作を含むデータ操作履歴情報を収集し、管理する情報管理サーバであって、
分析対象データ名を含む分析条件を入力する入力手段と、
前記分析対象データのデータ操作履歴情報に基づいて、前記分析条件に従う該分析対象データに関する分析を実行する分析手段と、
前記分析手段による分析結果を出力する出力手段と
を備え、
前記分析手段は、前記データ操作履歴情報のデータ操作に、別名保存又はデータ名編集が含まれているか否かを判定する
ことを特徴とする情報管理サーバ。
【請求項２】
前記データ操作履歴情報のデータ操作に、別名保存又はデータ名編集が含まれている場合、前記分析手段は、該データ操作のデータ操作元に対応するデータ操作履歴情報を取得する
ことを特徴とする請求項１に記載の情報管理サーバ。
【請求項３】
前記データ操作履歴情報のデータ操作に、別名保存又はデータ名編集が含まれていない場合、前記分析手段は、該データ操作のデータ操作元を前記分析対象データの作成元とする
ことを特徴とする請求項１または２に記載の情報管理サーバ。
【請求項４】
前記分析手段は、前記分析対象データのデータ操作履歴情報が、外部から取得された外部データであるか否かを判定する
ことを特徴とする請求項１乃至３のいずれかに記載の情報管理サーバ。
【請求項５】
前記分析条件は、前記端末を特定するための端末情報、分析日時範囲、データ操作種類の任意の組み合わせである
ことを特徴とする請求項１に記載の情報管理サーバ。
【請求項６】
前記データ操作履歴情報は、データ名、データ操作時刻、データ操作元／データ操作先を示す情報である
ことを特徴とする請求項１に記載の情報管理サーバ。
【請求項７】
前記データ操作は、データ生成、上書、別名保存、データ名編集、又は出力を含む
ことを特徴とする請求項１に記載の情報管理サーバ。
【請求項８】
前記分析手段は、前記分析対象データの作成元または配信元を分析する
ことを特徴とする請求項１に記載の情報管理サーバ。
【請求項９】
前記分析手段は、前記分析対象データがネットワークを経由して受信するまでの変更の有無、かつ変更がある場合のその変更元を分析する
ことを特徴とする請求項１に記載の情報管理サーバ。
【請求項１０】
前記分析手段は、前記分析対象データが共有データである場合に、その分析対象データのデータ操作内容とそのデータ操作元を分析する
ことを特徴とする請求項１に記載の情報管理サーバ。
【請求項１１】
別名保存又はデータ名編集を示すデータ操作を監視する監視手段と、
前記監視手段で監視されるデータ操作のデータ操作履歴情報を端末におけるデータ操作履歴情報を管理するサーバへ出力する出力手段と
を備えることを特徴とする情報処理装置。
【請求項１２】
複数の端末と、該複数の端末の各端末における、データ操作を含むデータ操作履歴情報を収集し、管理する情報管理サーバとで構成される情報管理システムであって、
前記複数の端末それぞれは、
当該端末におけるデータ操作を監視する監視手段と、
前記監視手段で監視されるデータ操作のデータ操作履歴情報を前記サーバへ出力する出力手段とを備え、
前記情報管理サーバは、
分析対象データ名を含む分析条件を入力する入力手段と、
前記分析対象データのデータ操作履歴情報に基づいて、前記分析条件に従う該分析対象データに関する分析を実行する分析手段と、
前記分析手段による分析結果を出力する出力手段とを備え、
前記分析手段は、前記データ操作履歴情報のデータ操作に、別名保存又はデータ名編集が含まれているか否かを判定する
ことを特徴とする情報管理システム。
【請求項１３】
複数の端末の各端末における、データ操作を含むデータ操作履歴情報を収集し、管理する情報管理サーバの制御方法であって、
分析対象データ名を含む分析条件を入力する入力工程と、
前記分析対象データのデータ操作履歴情報に基づいて、前記分析条件に従う該分析対象データに関する分析を実行する分析工程と、
前記分析工程による分析結果を出力する出力工程とを備え、
前記分析工程は、前記データ操作履歴情報のデータ操作に、別名保存又はデータ名編集が含まれているか否かを判定する
ことを特徴とする情報管理サーバの制御方法。
【請求項１４】
別名保存又はデータ名編集を示すデータ操作を監視する監視工程と、
前記監視工程で監視されるデータ操作のデータ操作履歴情報を端末におけるデータ操作履歴情報を管理するサーバへ出力する出力工程と
を備えることを特徴とする情報処理装置の制御方法。
【請求項１５】
複数の端末の各端末における、データ操作を含むデータ操作履歴情報を収集し、管理する情報管理サーバの制御をコンピュータに機能させるためのプログラムであって、
分析対象データ名を含む分析条件を入力する入力工程と、
前記分析対象データのデータ操作履歴情報に基づいて、前記分析条件に従う該分析対象データに関する分析を実行する分析工程と、
前記分析工程による分析結果を出力する出力工程とを備え、
前記分析工程は、前記データ操作履歴情報のデータ操作に、別名保存又はデータ名編集が含まれているか否かを判定する
ことを特徴とするプログラム。
【請求項１６】
情報処理装置の制御をコンピュータに機能させるためのプログラムであって、
別名保存又はデータ名編集を示すデータ操作を監視する監視工程と、
前記監視工程で監視されるデータ操作のデータ操作履歴情報を端末におけるデータ操作履歴情報を管理するサーバへ出力する出力工程と
を備えることを特徴とするプログラム。
【手続補正２】
【補正対象書類名】明細書
【補正対象項目名】０００７
【補正方法】変更
【補正の内容】
【０００７】
上記の目的を達成するための本発明による情報管理サーバは以下の構成を備える。即ち、
複数の端末の各端末における、データ操作を含むデータ操作履歴情報を収集し、管理する情報管理サーバであって、
分析対象データ名を含む分析条件を入力する入力手段と、
前記分析対象データのデータ操作履歴情報に基づいて、前記分析条件に従う該分析対象データに関する分析を実行する分析手段と、
前記分析手段による分析結果を出力する出力手段と
を備え、
前記分析手段は、前記データ操作履歴情報のデータ操作に、別名保存又はデータ名編集が含まれているか否かを判定する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】